(57)【要約】 【課題】  放射線診療の検査予約時に医療従事者の現状の被曝線量を把握することが可能な被曝リスク管理支援装置を提供する。【解決手段】  被曝リスク管理支援装置は、依頼される検査に関する検査オーダ情報に基づき、前記検査により医療従事者が職業被曝する放射線量を算出する被曝線量算出部を有する。【選択図】図２
2018050891.tif 000002
【特許請求の範囲】
【請求項１】
依頼される検査に関する検査オーダ情報に基づき、前記検査により医療従事者が職業被曝する放射線量を算出する被曝線量算出部を具備する被曝リスク管理支援装置。
【請求項２】
前記被曝線量算出部は、前記検査に係る設定情報に基づいて取得される被曝量に、前記検査で用いられる手技、及び／又は薬剤に関する補正、患者の状態に関する補正、若しくは患者への特殊な処置に関する補正をかけることで、前記検査により医療従事者が職業被曝する放射線量を算出する請求項１記載の被曝リスク管理支援装置。
【請求項３】
前記被曝線量算出部は、前記設定情報に基づいて取得される被曝量に、線量測定器により過去に実測された放射線量に応じた補正をかけることで、前記検査により医療従事者が職業被曝する放射線量を算出する請求項２記載の被曝リスク管理支援装置。
【請求項４】
前記被曝線量算出部は、前記設定情報に基づいて取得される被曝量に、前記検査の際に医療従事者が位置していた場所に応じた補正をかけることで、前記検査により医療従事者が職業被曝する放射線量を算出する請求項２又は３に記載の被曝リスク管理支援装置。
【請求項５】
前記検査により医療従事者が職業被曝する放射線量に基づき、医療従事者が所定期間において被曝する放射線量の累積値を算出する被曝線量予測部と、
前記累積値が線量限度以上となる場合、前記医療従事者が前記検査に従事することに対して警告を発する判定部と
をさらに具備する請求項１乃至４のいずれかに記載の被曝リスク管理支援装置。
【請求項６】
前記判定部は、前記警告を発した後、又は警告表示を発すると共に、前記累積値が前記線量限度未満である医療従事者を、前記検査に従事可能な候補者として設定する請求項５記載の被曝リスク管理支援装置。
【請求項７】
前記検査により医療従事者が職業被曝する放射線量に基づき、医療従事者が所定期間において被曝する放射線量の累積値を算出する被曝線量予測部と、
前記累積値が線量限度未満である医療従事者を、前記検査に従事可能な候補者として設定する判定部と
をさらに具備する請求項１乃至４のいずれかに記載の被曝リスク管理支援装置。
【請求項８】
前記被曝線量予測部は、前記累積値を、線量測定器により実測された放射線量を利用して算出する請求項５乃至７のいずれかに記載の被曝リスク管理支援装置。
【請求項９】
前記検査により医療従事者が職業被曝する放射線量に基づき、医療従事者が一日に被曝可能な最大被曝量を算出する被曝線量予測部と、
前記検査が依頼される日に職業被曝する放射線量が前記最大被曝量以上である場合、前記医療従事者が前記検査に従事することに対して警告を発する判定部と
をさらに具備する請求項１乃至４のいずれかに記載の被曝リスク管理支援装置。
【請求項１０】
前記判定部は、前記警告を発した後、又は警告表示を発すると共に、前記検査が依頼される日に職業被曝する放射線量が前記最大被曝量未満である医療従事者を、前記検査に従事可能な候補者として設定する請求項９記載の被曝リスク管理支援装置。
【請求項１１】
前記検査により医療従事者が職業被曝する放射線量に基づき、医療従事者が一日に被曝可能な最大被曝量を算出する被曝線量予測部と、
前記検査が依頼される日に職業被曝する放射線量が前記最大被曝量未満である医療従事者を、前記検査に従事可能な候補者として設定する判定部と
をさらに具備する請求項１乃至４のいずれかに記載の被曝リスク管理支援装置。
【請求項１２】
前記被曝線量予測部は、前記最大被曝量を、線量測定器により実測された放射線量を利用して算出する請求項９乃至１１のいずれかに記載の被曝リスク管理支援装置。
【発明の詳細な説明】
【技術分野】
【０００１】
本発明の実施形態は、被曝リスク管理支援装置に関する。
【背景技術】
【０００２】
近年、医療技術は急速に発展し、様々な病巣の発見、及び病変の把握に大きく貢献している。特に、Ｘ線、ガンマ線、及び陽電子線等の放射線を利用した医用画像診断装置は、被検体の内部を、外科的処置を経ずに測定することが可能である。このため、この種の医用画像診断装置を利用した放射線診療は広く普及している。
【０００３】
しかしながら、放射線診療に伴う、患者自身、又は患者の介護にあたる介助者への放射線被曝が、患者又は介助者の健康に被害を及ぼすおそれがある。そこで、このような医療被曝を管理するため、以前より様々な方法が提案されている。
【０００４】
一方で、放射線診療は、医師、看護師、診療放射線技師、及び臨床検査技師等の医療従事者も放射線を被曝するリスクがある。そこで、このような医療従事者の職業被曝を管理するため、医療従事者に線量測定器を携帯させ、医療従事者の被曝線量を管理する方法が提案されている。
【０００５】
しかしながら、医療従事者に線量測定器を携帯させて被曝線量を管理する方法では、線量測定器を回収しなければ被曝線量を把握することができない。そのため、放射線診療の検査予約時に医療従事者の現状の被曝線量を把握することは困難である。
【先行技術文献】
【特許文献】
【０００６】
【特許文献１】特開２００７−９７９０９号公報
【特許文献２】特開２００９−２１３９０５号公報
【特許文献３】特開２００５−２５３６８９号公報
【発明の概要】
【発明が解決しようとする課題】
【０００７】
そこで目的は、放射線診療の検査予約時に医療従事者の現状の被曝線量を把握することが可能な被曝リスク管理支援装置を提供することにある。
【課題を解決するための手段】
【０００８】
実施形態によれば、被曝リスク管理支援装置は、依頼される検査に関する検査オーダ情報に基づき、前記検査により医療従事者が職業被曝する放射線量を算出する被曝線量算出部を有する。
【図面の簡単な説明】
【０００９】
【図１】図１は、本実施形態に係る被曝リスク管理支援装置が利用されるシステムを示すブロック図である。
【図２】図２は、図１に示されるＲＩＳサーバ、及びＲＩＳ端末の機能構成を示すブロック図である。
【図３】図３は、図２に示されるＲＩＳサーバで記憶される検査被曝線量マスタを示す図である。
【図４】図４は、図２に示されるＲＩＳサーバで記憶される検査被曝線量補正値マスタを示す図である。
【図５】図５は、図２に示されるＲＩＳサーバで記憶される患者状態被曝線量補正値マスタを示す図である。
【図６】図６は、図２に示されるＲＩＳサーバで記憶される距離補正値マスタを示す図である。
【図７】図７は、図２に示されるＲＩＳサーバで記憶される医療従事者補正値マスタを示す図である。
【図８】図８は、依頼された検査に医療従事者を割り当てる際のＲＩＳサーバと、ＲＩＳ端末との動作を説明する図である。
【図９】図９は、所定期間の累積被曝線量と線量限度とを比較する図である。
【図１０】図１０は、図２に示される表示回路で表示される警告表示を示す図である。
【図１１】図１１は、依頼された検査に医療従事者を割り当てる際のＲＩＳサーバと、ＲＩＳ端末との動作のその他の例を説明する図である。
【図１２】図１２は、図２に示される表示回路で表示される選択候補者を示す図である。
【図１３】図１３は、依頼された検査に医療従事者を割り当てる際のＲＩＳサーバと、ＲＩＳ端末との動作のその他の例を説明する図である。
【図１４】図１４は、依頼された検査に医療従事者を割り当てる際のＲＩＳサーバと、ＲＩＳ端末との動作のその他の例を説明する図である。
【図１５】図１５は、医療従事者データベースに記憶される現在被曝線量を更新する際のＲＩＳサーバと、ＲＩＳ端末との動作を説明する図である。
【発明を実施するための形態】
【００１０】
以下、実施の形態について、図面を参照して説明する。
【００１１】
図１は、本実施形態に係る被曝リスク管理支援装置が利用されるシステムを示すブロック図である。図１に示されるシステムは、例えば、ＲＩＳ（Radiology Information System）である。図１に示されるシステムは、ＲＩＳサーバ１０と、ＲＩＳ端末２０とをシステムを構成する要素の一部として具備する。なお、以下の説明では、被曝リスク管理支援装置が、ＲＩＳサーバ１０と、ＲＩＳ端末２０とにより実現される場合を例に説明するが、これに限定されない。被曝リスク管理支援装置は、一台の装置により実現されても構わない。
【００１２】
ＲＩＳサーバ１０は、ＲＩＳにおいて利用される、放射線検査業務に係る情報を管理する。例えば、ＲＩＳサーバ１０は、放射線科部門内における診療予約に関する情報、診断結果のレポートに関する情報、及び実績に関する情報等を管理する。
【００１３】
ＲＩＳサーバ１０は、ＲＩＳ端末２０、病院情報システム（ＨＩＳ：Hospital Information System）を構成するＨＩＳサーバ、及び医用画像診断装置と、医療施設内の通信ネットワークであるＬＡＮ（Local Area Network）を介して接続する。なお、ＲＩＳサーバ１０は、ＬＡＮに加え、又は、ＬＡＮの代わりに、外部のネットワークを介してＲＩＳ端末２０、ＨＩＳサーバ、及び医用画像診断装置と接続しても構わない。
【００１４】
ＲＩＳサーバ１０は、ＨＩＳサーバから出力される患者情報、及び検査オーダ情報を受信する。患者情報には、患者ＩＤ、患者名、性別、身長、体重、年齢、血液型、及び要介護に関する情報等が含まれる。検査オーダ情報には、検査を識別可能なオーダ番号、患者ＩＤ、検査予定日時、検査種別、検査部位、及び依頼元情報等が含まれる。検査種別には、Ｘ線検査、ＣＴ（Computed Tomography）検査、ＭＲ（Magnetic Resonance）検査、及びＲＩ（Radio Isotope）検査等が含まれる。検査部位には、ＡＢＤＯＭＥＮ、ＢＲＡＩＮ、及びＣＨＥＳＴ等が含まれる。依頼元情報には、診療科名、及び担当医名等が含まれる。ＲＩＳサーバ１０は、検査オーダ情報に従って実施した検査に関する検査実施情報をＨＩＳサーバへ出力する。
【００１５】
ＲＩＳサーバ１０は、所定の通信規格、例えば、ＤＩＣＯＭ（digital imaging and communication in medicine）を利用して医用画像診断装置と通信を行う。医用画像診断装置は、Ｘ線コンピュータ断層撮影装置、Ｘ線診断装置、磁気共鳴イメージング装置、核医学診断装置、及び超音波診断装置等を含む。ＲＩＳサーバ１０は、患者情報、及び検査オーダ情報を医用画像診断装置へ出力する。医用画像診断装置は、検査オーダ情報に従って検査を実施すると、検査実施情報をＲＩＳサーバ１０へ出力する。
【００１６】
図２は、本実施形態に係るＲＩＳサーバ１０、及びＲＩＳ端末２０の機能構成の例を示すブロック図である。図２に示されるＲＩＳサーバ１０は、通信インタフェース回路１１、記憶回路１２、及び制御回路１３を具備する。
【００１７】
通信インタフェース回路１１は、ＬＡＮとの間で通信を実施する際のインタフェースである。通信インタフェース回路１１は、例えば、通信ポート、及びルータ等により実現される。通信インタフェース回路１１は、記憶回路１２から読み出される情報を予め設定した方式に則って変換し、変換した情報をＬＡＮへ出力する。また、通信インタフェース回路１１は、ＬＡＮを介して情報を受信し、受信した情報を予め設定した方式に則って変換する。
【００１８】
記憶回路１２は、磁気的、若しくは光学的記録媒体、又は半導体メモリ等の、プロセッサにより読み取り可能な記録媒体等を有する。記憶回路１２は、放射線検査業務に係る情報、及び制御回路１３が所定の機能を実現するための各種プログラムを記憶する。
【００１９】
記憶回路１２には、医療従事者データベース１２１、予約データベース１２２、及び実績データベース１２３が構築される。医療従事者データベース１２１、予約データベース１２２、及び実績データベース１２３は、制御回路１３が記憶回路１２に記憶されるプログラムを実行することで管理される。
【００２０】
医療従事者データベース１２１は、医療従事者が被曝する放射線量に関する情報が管理されるデータベースである。本実施形態において、医療従事者は、検査に職務上（資格、能力、及び勤務時間等）従事することが割り当てられる者を指し、例えば、医師、看護師、診療放射線技師、及び臨床検査技師等である。具体的には、医療従事者データベース１２１では、例えば、医療従事者を識別する識別情報（医療従事者ＩＤ）に、当該医療従事者の氏名、性別、生年月日、年齢、職種、所属科、及び線量測定器により実測された被曝線量等が関連付けられる。職種には、医師、看護師、診療放射線技師、及び臨床検査技師等が含まれる。線量測定器は、各医療従事者に常に携帯され、医療従事者が置かれる環境での放射線量を実測する。線量測定器は、所定の期間が経過する毎に回収される。回収に伴い、医療従事者に携帯されていた期間中に測定された放射線量は、ＲＩＳへ報告される。
【００２１】
予約データベース１２２は、診療予約に関する情報を管理するデータベースである。具体的には、予約データベース１２２では、例えば、検査を識別可能なオーダ番号に、患者情報、検査予定日時、検査種別、検査部位、手技、体位、撮影方向、依頼元情報、医用画像診断装置の機種名、及び検査に直接携わる医療従事者名等が関連付けられる。予約データベース１２２で管理される情報は、ＨＩＳサーバから供給される患者情報、及び検査オーダ情報、並びに、検査オーダ情報を参照してＲＩＳ端末２０から入力される情報に基づいて登録される。
【００２２】
実績データベース１２３は、診断結果のレポートに関する情報を管理するデータベースである。具体的には、実績データベース１２３では、例えば、オーダ番号に、患者情報、検査施行日時、検査種別、検査部位、手技、体位、撮影方向、距離情報、依頼元情報、医用画像診断装置の機種名、医療従事者名、所見情報、及び診断情報等が関連付けられる。実績データベース１２３で管理される情報は、予約データベース１２２で管理される情報、及び検査を実施した後に、ＲＩＳ端末２０又は／及び医用画像診断装置から入力される情報に基づいて登録される。例えば、距離情報は、検査が終了した後、検査を実施した医療従事者により、検査中に医療従事者が位置した場所に応じた情報として入力される。
【００２３】
また、記憶回路１２は、医療従事者の被曝線量を算出するための各種マスタを予め記憶している。具体的には、記憶回路１２は、例えば、検査被曝線量マスタ１２４、検査被曝線量補正値マスタ１２５、患者状態被曝線量補正値マスタ１２６、距離補正値マスタ１２７、及び医療従事者補正値マスタ１２８を予め記憶している。記憶回路１２に記憶されているマスタは、ＲＩＳ端末２０からの要求に応じて読み出され、要求元のＲＩＳ端末２０へ出力される。
【００２４】
検査被曝線量マスタ１２４では、一秒間に職業被曝する放射線量と、検査に係る設定情報とが予め対応付けられる。検査に係る設定情報とは、例えば、検査種別、検査部位、医用画像診断装置の機種名等、属性が変更されることで医用画像診断装置から曝射される放射線量が変動する設定情報を表す。一秒間に職業被曝する放射線量は、経験的に推定される放射線量であり、検査種別、検査部位、医用画像診断装置の機種名等に基づいて予め設定される。検査被曝線量マスタ１２４は、例えば、検査種別、検査部位、医用画像診断装置の機種名、及び一秒間に職業被曝する放射線量をレコードとするテーブルであり、検査に係る設定情報、すなわち、検査種別、検査部位、医用画像診断装置の機種名等がキーとして用いられる。
【００２５】
検査被曝線量補正値マスタ１２５では、職業被曝する放射線量の補正値と、特殊な手技、及び／又は特殊な薬剤等とが予め対応付けられる。特殊な手技は、職業被曝する放射線量に特徴がある手技を表す。特殊な薬剤は、放射線を発する薬剤を表す。特殊な手技、及び特殊な薬剤の組としては、例えば、「心筋血流イメージング」と、「Ｔｃ−９９ｍ  ＭＩＢＩ」、又は「Ｔｃ−９９ｍ  ｔｅｔｒｏｆｏｓｍｉｎ」との組が挙げられる。「心筋血流イメージング」はＲＩ（Radio Isotope）検査において実施される手技である。「Ｔｃ−９９ｍ  ＭＩＢＩ」、及び「Ｔｃ−９９ｍ  ｔｅｔｒｏｆｏｓｍｉｎ」は、心筋血流イメージングで利用される、放射線量の高い薬剤である。また、特殊な手技としては、例えば、「人工股関節全置換術」、及び「パノラマ法」が挙げられる。「人工股関節全置換術」は、ＣＴ検査において実施される手技である。「人工股関節全置換術」は、患者の体格に応じ、医療従事者が職業被曝する放射線量が約２倍増減するという特徴がある。「パノラマ法」は、歯科撮影で用いられる手技である。「パノラマ法」は、医療従事者が職業被曝する放射線量が低いという特徴がある。特殊な薬剤としては、例えば、「１８Ｆ−ＦＤＧ」が挙げられる。「１８Ｆ−ＦＤＧ」は、ＰＥＴ（Positron-Emission Tomography）検査で用いられる薬剤である。ＰＥＴ検査は、患者にとっては被曝する放射線量の低い検査であるが、医療従事者にとっては職業被曝する放射線量が高くなる可能性がある検査である。職業被曝する放射線量の補正値は、一秒間に職業被曝する放射線量に対する補正値であり、例えば、倍率等により表される。検査被曝線量補正値マスタ１２５は、例えば、特殊な手技、特殊な薬剤、及び補正値をレコードとするテーブルであり、特殊な手技、及び特殊な薬剤等がキーとして用いられる。例えば、依頼された検査において特殊な手技、及び／又は、特殊な薬剤が使用される場合、一秒間に職業被曝する放射線量が、補正値により設定される割合だけ増加される。
【００２６】
患者状態被曝線量補正値マスタ１２６では、職業被曝する放射線量の補正値と、患者の状態とが予め対応付けられる。患者の状態は、放射線量の増減が発生し得る患者の状態を表し、例えば、年齢、身長、体重、及び要介護に関する情報等が含まれる。患者状態被曝線量補正値マスタ１２６は、例えば、年齢、身長、体重、要介護に関する情報、及び補正値をレコードとするテーブルであり、年齢、身長、体重、及び要介護に関する情報等がキーとして用いられる。例えば、検査を依頼された患者が大柄であり、放射線量を増加させる必要がある場合には、一秒間に職業被曝する放射線量が、補正値により設定される割合だけ増加される。また、検査を依頼された患者が小児であり、放射線量を抑える必要がある場合には、一秒間に職業被曝する放射線量が、補正値により設定される割合だけ低減される。
【００２７】
距離補正値マスタ１２７では、職業被曝する放射線量の補正値と、検査中に医療従事者が位置する場所とが予め対応付けられる。検査中に医療従事者が位置する場所は、放射線の発生源と医療従事者との位置関係を表す。検査中に医療従事者が位置する場所には、例えば、使用する検査室、検査室の内側か外側か、及び医用画像診断装置からの距離等を含む。距離補正値マスタ１２７は、例えば、使用する検査室、検査室の内側か外側か、医用画像診断装置からの距離、及び補正値をレコードとするテーブルであり、使用する検査室、検査室の内側か外側か、及び医用画像診断装置からの距離等がキーとして用いられる。例えば、依頼された検査中において、医療従事者が医用画像診断装置から離れた位置にいる場合、一秒間に職業被曝する放射線量が、補正値により設定される割合だけ低減される。
【００２８】
医療従事者補正値マスタ１２８では、職業被曝する放射線量の補正値と、線量測定器により実測される放射線量に基づく値とが予め対応付けられる。線量測定器により実測される放射線量に基づく値には、例えば、直近ｎヶ月の間に実測された放射線量を平均した平均被曝放射線量が含まれる。医療従事者補正値マスタ１２８は、例えば、平均被曝放射線量の最小値、平均被曝放射線量の最大値、及び補正値をレコードとするテーブルであり、平均被曝放射線量がキーとして用いられる。
【００２９】
また、記憶回路１２は、医用画像診断装置から入力される患者情報被曝線量補正値を記憶している。患者情報被曝線量補正値は、例えば、医用画像診断装置に予め記憶される特殊処置マスタにおいて、所定の処置と対応付けられている。検査において、患者を手動で固定する等の特殊な処置が必要になった場合、検査を実施した医療従事者は、検査終了時に、実施した処置を特殊処置マスタから選択する。特殊処置マスタから処置が選択されると、選択された処置と対応する補正値が特殊処置マスタから読み出される。読み出された補正値は、患者情報被曝線量補正値として、ＲＩＳサーバ１０へ出力される。患者情報被曝線量補正値は、患者を識別可能な情報、例えば、患者ＩＤと関連付けられて記憶される。
【００３０】
制御回路１３は、ＲＩＳサーバ１０の中枢として機能するプロセッサである。制御回路１３は、記憶回路１２に記憶されている制御プログラムを実行することで、当該プログラムに対応する機能を実現する。
【００３１】
図２に示されるＲＩＳ端末２０は、入力インタフェース回路２１、表示回路２２、通信インタフェース回路２３、記憶回路２４、及び制御回路２５を具備する。
【００３２】
入力インタフェース回路２１は、例えば、マウス、キーボード、及び、操作面へ触れることで指示が入力されるタッチパッド等により実現される。入力インタフェース回路２１は、操作者からの各種指示を受け付ける。入力インタフェース回路２１は、例えばバスを介して制御回路２５に接続され、操作者から入力される操作指示を電気信号へ変換し、電気信号を制御回路２５へ出力する。なお、本明細書において入力インタフェース回路２１はマウス及びキーボード等の物理的な操作部品を備えるものだけに限られない。例えば、ＲＩＳ端末２０とは別体に設けられた外部の入力機器から入力される操作指示に対応する電気信号を受け取り、この電気信号を制御回路２５へ出力する電気信号の処理回路も入力インタフェース回路２１の例に含まれる。
【００３３】
表示回路２２は、例えば、表示インタフェース回路と表示機器とを有する。表示インタフェース回路は、表示対象を表すデータをビデオ信号に変換する。表示機器としては、例えば、ＣＲＴディスプレイ、液晶ディスプレイ、有機ＥＬディスプレイ、ＬＥＤディスプレイ、プラズマディスプレイ、及び当技術分野で知られている他の任意のディスプレイが適宜利用可能である。表示機器は、表示インタフェース回路で変換されたビデオ信号を表示する。
【００３４】
通信インタフェース回路２３は、ＬＡＮとの間で通信を実施する際のインタフェースである。通信インタフェース回路２３は、例えば、通信ポート、及びルータ等により実現される。通信インタフェース回路２３は、記憶回路２４から読み出される情報を予め設定した方式に則って変換し、変換した情報をＬＡＮへ出力する。また、通信インタフェース回路２３は、ＬＡＮを介して情報を受信し、受信した情報を予め設定した方式に則って変換する。
【００３５】
記憶回路２４、磁気的、若しくは光学的記録媒体、又は半導体メモリ等の、プロセッサにより読み取り可能な記録媒体等を有する。記憶回路２４は、ＲＩＳサーバ１０から出力される情報、及び制御回路２５が所定の機能を実現するための各種プログラムを記憶する。
【００３６】
制御回路２５は、ＲＩＳ端末２０の中枢として機能するプロセッサである。制御回路２５は、記憶回路２４に記憶されている制御プログラムを実行することで、当該プログラムに対応する機能を実現する。例えば、制御回路２５は、被曝線量算出機能２５１、被曝線量予測機能２５２、判定機能２５３、及び登録機能２５４を有する。
【００３７】
被曝線量算出機能２５１は、検査オーダ情報により依頼される検査において、医療従事者が職業被曝する放射線量を、マスタ１２４〜１２８から読み出される値に基づいて算出する機能である。
【００３８】
被曝線量予測機能２５２は、被曝線量算出機能２５１により算出された放射線量に基づき、将来に被曝すると予測される放射線量を算出する機能である。
【００３９】
判定機能２５３は、被曝線量予測機能２５２により予測された放射線量が、線量限度以上となるか否かを判断する機能である。線量限度は、例えば、５年間で１００ｍＳｖ、１年間で５０ｍＳｖと設定されている。また、女性については、３ヶ月間での線量限度が５ｍＳｖとも設定されている。さらに、妊娠中の女性については、妊娠の事実を知ったときから出産までの間、内部被曝が１ｍＳｖ未満となるように設定されている。なお、判定機能２５３は、予測された放射線量に所定の幅を持たせて線量限度と比較するようにしても構わない。
【００４０】
登録機能２５４は、ＲＩＳサーバ１０で管理される医療従事者データベース１２１、及び予約データベース１２２に対し、情報を登録する機能である。
【００４１】
なお、上記では、被曝線量算出機能２５１、被曝線量予測機能２５２、判定機能２５３、及び登録機能２５４を、本実施形態に係る処理プログラムを構成するモジュールであるとした。しかしながら、これに限定されない。例えば、制御回路２５は、被曝線量算出機能２５１を実現する専用のハードウェア回路、被曝線量予測機能２５２を実現する専用のハードウェア回路、判定機能２５３を実現する専用のハードウェア回路、及び登録機能２５４を実現する専用のハードウェア回路を有してもよい。また、制御回路２５は、これらの専用のハードウェア回路を組み込んだ特定用途向け集積回路（Application Specific Integrated Circuit：ＡＳＩＣ）、フィールド・プログラマブル・ゲート・アレイ（Field Programmable Logic Device：ＦＰＧＡ）、他の複合プログラマブル論理デバイス（Complex Programmable Logic Device：ＣＰＬＤ）、又は単純プログラマブル論理デバイス（Simple Programmable Logic Device：ＳＰＬＤ）により実現されてもよい。
【００４２】
次に、以上のように構成されるＲＩＳにおいて、依頼された検査に医療従事者が割り当てられる際の処理について説明する。なお、以下の説明では、ＲＩＳサーバ１０の記憶回路１２に記憶される検査被曝線量マスタ１２４は、図３に示されるテーブルで表され、検査被曝線量補正値マスタ１２５は、図４に示されるテーブルで表され、患者状態被曝線量補正値マスタ１２６は、図５に示されるテーブルで表され、距離補正値マスタ１２７は、図６に示されるテーブルで表され、医療従事者補正値マスタ１２８は、図７に示されるテーブルで表されるものとする。なお、図４で示される「−」は、設定がないことを表す。また、医療従事者は、被曝する放射線の放射線量を測定する線量測定器を常に携帯するものとする。線量測定器は、所定の期間が経過する毎、例えば、１ヶ月毎に回収される。回収に伴い、医療従事者に携帯されていた期間中に測定された放射線量は、ＲＩＳへ報告される。
【００４３】
図８は、依頼された検査に医療従事者を割り当てる際のＲＩＳサーバ１０と、ＲＩＳ端末２０との動作の例を説明する図である。
【００４４】
図８において、まず、ＨＩＳサーバから検査オーダ情報、及び患者情報が供給される（ステップＳ８１）。ＲＩＳサーバ１０は、受信した検査オーダ情報、及び患者情報をＲＩＳ端末２０へ出力する（ステップＳ８２）。
【００４５】
ＲＩＳ端末２０は、受信した検査オーダ情報、及び患者情報に基づき、操作者が検査予約に関する必要情報を入力可能な画面を表示回路２２に表示する（ステップＳ８３）。操作者は、表示回路２２に表示される画面を参照し、入力インタフェース回路２１を介して必要情報を入力する（ステップＳ８４）。操作者により入力される必要情報には、例えば、検査で実施される手技、検査時の体位、撮影方向、医用画像診断装置の機種名、及び検査に直接携わる医療従事者名等が含まれる。なお、手技、体位、機種名、及び撮影方向、医用画像診断装置の機種名等は、ＨＩＳサーバから供給される検査オーダ情報と、過去の検査実績等とに基づき、ＲＩＳサーバ１０で、予約データベース１２２に自動的に登録されてもよい。
【００４６】
ＲＩＳ端末２０の制御回路２５は、操作者により必要情報が入力されることで、医療従事者が選択されると、被曝線量算出機能２５１を実行する。被曝線量算出機能２５１が実行されると、制御回路２５は、マスタ１２４〜１２８、患者情報被曝線量補正値、選択された医療従事者に関する情報、及び選択された医療従事者が携わった過去の検査に関する情報を、ＲＩＳサーバ１０に対して要求する（ステップＳ８５）。要求信号には、例えば、患者ＩＤ、及び医療従事者ＩＤ等が含まれる。
【００４７】
ＲＩＳサーバ１０は、ＲＩＳ端末２０からの要求を受けると、記憶回路１２からマスタ１２４〜１２８を読み出す。また、ＲＩＳサーバ１０は、例えば、患者ＩＤをキーとして記憶回路１２から患者情報被曝線量補正値を読み出す。また、ＲＩＳサーバ１０は、医療従事者ＩＤをキーとして医療従事者データベース１２１から、選択された医療従事者に関する情報を読み出す。また、ＲＩＳサーバ１０は、医療従事者ＩＤをキーとして実績データベース１２３から、選択された医療従事者が携わった過去の検査に関する情報を読み出す。ＲＩＳサーバ１０は、読み出したマスタ１２４〜１２８の情報、患者情報被曝線量補正値、選択された医療従事者に関する情報、及び選択された医療従事者が過去に携わった検査に関する情報を、ＲＩＳ端末２０へ出力する（ステップＳ８６）。
【００４８】
ＲＩＳ端末２０の制御回路２５は、マスタ１２４〜１２８の情報、患者情報被曝線量補正値、選択された医療従事者に関する情報、及び選択された医療従事者が過去に携わった検査に関する情報を受信すると、依頼された検査により職業被曝する放射線量を算出する（ステップＳ８７）。
【００４９】
具体的には、制御回路２５は、検査オーダ情報、及び入力された必要情報に含まれる、検査に係る設定情報、例えば、検査種別、検査部位、及び機種名等をキーとして、検査被曝線量マスタ１２４から「一秒間に職業被曝する放射線量」を読み出す。図３に示される検査被曝線量マスタ１２４によれば、例えば、検査種別：ＣＴ検査、検査部位：ＣＨＥＳＴ、機種名：…である場合、「一秒間に職業被曝する放射線量」は、「ｘ」と読み出される。
【００５０】
「一秒間に職業被曝する放射線量」が検査被曝線量マスタ１２４から読み出されると、制御回路２５は、検査オーダ情報、及び入力された必要情報に含まれる、手技、及び薬剤等をキーとして、検査被曝線量補正値マスタ１２５から「検査被曝線量補正値」を読み出す。
【００５１】
また、「一秒間に職業被曝する放射線量」が検査被曝線量マスタ１２４から読み出されると、制御回路２５は、患者情報に含まれる患者の状態、例えば、年齢、身長、体重、及び要介護に関する情報等をキーとして、患者状態被曝線量補正値マスタ１２６から「患者状態被曝線量補正値」を読み出す。
【００５２】
続いて、制御回路２５は、「検査被曝線量補正値」、「患者状態被曝線量補正値」、及び「患者情報被曝線量補正値」を比較する。制御回路２５は、３つの補正値のうち、最大の補正値を採用する。例えば、図４に示されるように、「検査被曝線量補正値」が「１．２」であり、図５で示されるように、「患者状態被曝線量補正値」が「２」であり、かつ、「患者情報被曝線量補正値」が「１．５」である場合、制御回路２５は、「２」である「患者状態被曝線量補正値」を採用する。
【００５３】
検査を実施する前の状態では、検査実施時の正確な距離情報は入力されていない。そこで、距離補正値は、デフォルト値を利用して設定される。具体的には、制御回路２５は、距離に関する補正値として、距離補正値マスタ１２７に記憶されている補正値のうち最大の補正値である「１」を、距離補正値として設定する。
【００５４】
また、制御回路２５は、医療従事者に関する情報に含まれる放射線量の実測値に基づき、直近ｎヶ月の平均被曝放射線量を算出する。制御回路２５は、平均被曝線量をキーとして、医療従事者補正値マスタ１２８から「医療従事者補正値」を読み出す。図７に示される医療従事者補正値マスタ１２８によれば、例えば、平均被曝線量が「０．０４μＳｖ」である場合、「医療従事者補正値」は、「３」と読み出される。
【００５５】
制御回路２５は、以下の式を用い、検査被曝線量マスタ１２４から読み出した、「一秒間に職業被曝する放射線量」を補正する。
【００５６】
「補正した一秒間に職業被曝する放射線量」＝「一秒間に職業被曝する放射線量」×「最大の補正値」×「１」×「医療従事者補正値」
制御回路２５は、検査の開始時刻と終了時刻とから、検査にかかる時間である検査時間を算出する。制御回路２５は、以下の式を用い、補正した放射線量に、検査時間を乗算することで、検査において医療従事者が職業被曝する放射線量を算出する。
【００５７】
「検査による職業被曝の放射線量」＝「補正した一秒間に職業被曝する放射線量」×「検査時間」
「検査による職業被曝の放射線量」を算出すると、制御回路２５は、線量測定器により放射線が測定された直近の期間が明けてから当該検査の前までに、選択された医療従事者が携わった過去の検査による職業被曝の放射線量を算出する（ステップＳ８８）。
【００５８】
具体的には、制御回路２５は、選択された医療従事者が携わった過去の検査に関する情報に含まれる、検査に係る設定情報をキーとして、検査被曝線量マスタ１２４から「一秒間に職業被曝した放射線量」を読み出す。
【００５９】
「一秒間に職業被曝した放射線量」が検査被曝線量マスタ１２４から読み出されると、制御回路２５は、選択された医療従事者が携わった過去の検査に関する情報に含まれる、手技、及び薬剤等をキーとして、検査被曝線量補正値マスタ１２５から「検査被曝線量補正値」を読み出す。また、「一秒間に職業被曝した放射線量」が検査被曝線量マスタ１２４から読み出されると、制御回路２５は、選択された医療従事者が携わった過去の検査に関する情報に含まれる患者の状態をキーとして、患者状態被曝線量補正値マスタ１２６から「患者状態被曝線量補正値」を読み出す。制御回路２５は、「検査被曝線量補正値」、「患者状態被曝線量補正値」、及び「患者情報被曝線量補正値」から、最大の補正値を採用する。
【００６０】
また、制御回路２５は、選択された医療従事者が携わった過去の検査に関する情報に含まれる、検査中に医療従事者が位置する場所についての情報、例えば、使用する検査室、検査室の内外、及び医用画像診断装置からの距離等をキーとして、距離補正値マスタ１２７から「距離補正値」を読み出す。図６に示される距離補正値マスタ１２７によれば、例えば、検査を実施した検査室が「検査室１」であり、医療従事者が検査室の「内」側に存在し、医用画像診断装置からの距離が「３ｍ」であった場合、距離補正値は、「０．５」と読み出される。
【００６１】
また、制御回路２５は、医療従事者に関する情報に含まれる放射線量の実測値に基づき、直近ｎヶ月の平均被曝放射線量を算出する。制御回路２５は、平均被曝線量をキーとして、医療従事者補正値マスタ１２８から「医療従事者補正値」を読み出す。
【００６２】
制御回路２５は、以下の式を用い、検査被曝線量マスタ１２４から読み出した、「一秒間に職業被曝した放射線量」を補正する。
【００６３】
「補正した一秒間に職業被曝する放射線量」＝「一秒間に職業被曝した放射線量」×「最大の補正値」×「距離補正値」×「医療従事者補正値」
制御回路２５は、検査の開始時刻と終了時刻とから検査時間を算出する。制御回路２５は、補正した放射線量に、検査時間を乗算することで、過去の検査において医療従事者が職業被曝した放射線量を算出する。
【００６４】
「過去の検査による職業被曝の放射線量」＝「補正した一秒間に職業被曝した放射線量」×「検査時間」
「検査による職業被曝の放射線量」と、「過去の検査による職業被曝の放射線量」とが算出されると、制御回路２５は、被曝線量予測機能２５２を実行する。被曝線量予測機能２５２が実行されると、制御回路２５は、医療従事者に関する情報に含まれる、実測された被曝線量に、「検査による職業被曝の放射線量」と、「過去の検査による職業被曝の放射線量」とを足し合わせ、累積加算の開始日から、現検査までの累積被曝線量を算出する。制御回路２５は、算出した累積被曝線量を、開始日からの日数で割り、一日当たりの平均被曝線量を算出する。
【００６５】
そして、制御回路２５は、開始日から予め設定された期間の累積被曝線量を、平均被曝線量に基づいて算出する（ステップＳ８９）。開始日をＹＡ年ＭＡ月ＤＡ日とし、予め設定された期間経過後の日付をＹＢ年ＭＢ月ＤＢ日とすると、ＹＢ年ＭＢ月ＤＢ日での累積被曝線量は、以下の式を用いて算出される。
【００６６】
「開始日からＹＢ年ＭＢ月ＤＢ日までの累積被曝線量」＝「現検査までの累積被曝線量」＋「一日当たりの平均被曝線量」×（ＹＢ年ＭＢ月ＤＢ日−ＹＡ年ＭＡ月ＤＡ日）
「開始日からＹＢ年ＭＢ月ＤＢ日までの累積被曝線量」が算出されると、制御回路２５は、判定機能２５３を実行する。判定機能２５３が実行されると、制御回路２５は、算出した「開始日からＹＢ年ＭＢ月ＤＢ日までの累積被曝線量」が、法律で定められる線量限度以上となるか否かを判断する（ステップＳ８１０）。算出した「開始日からＹＢ年ＭＢ月ＤＢ日までの累積被曝線量」が、上記の規則に基づいて設定される線量限度以上となる場合（ステップＳ８１０のＹｅｓ）、例えば、図９に示されるように、開始日から５年後の累積被曝線量が１００ｍＳｖ以上となる場合、制御回路２５は、選択された医療従事者の被曝線量が線量限度以上となる可能性がある旨を、例えば、図１０に示されるように表示回路２２に表示させる（ステップＳ８１１）。算出した「開始日からＹＢ年ＭＢ月ＤＢ日までの累積被曝線量」が線量限度未満となる場合（ステップＳ８１０のＮｏ）、制御回路２５は、処理をステップＳ８１３へ移行する。
【００６７】
ステップＳ８１１に続き、制御回路２５は、累積被曝線量が線量限度以上となる医療従事者に対して選択を確定させる旨の入力があったか否かを判断する（ステップＳ８１２）。選択を確定させる旨の入力があった場合（ステップＳ８１２のＹｅｓ）、制御回路２５は、必要情報の入力を終了させる（ステップＳ８１３）。累積被曝線量が線量限度以上となる医療従事者に対する選択をキャンセルする旨の入力があった場合（ステップＳ８１２のＮｏ）、制御回路２５は、異なる医療従事者の選択を受け付け（ステップＳ８１４）、ステップＳ８５からステップＳ８１２の処理を繰り返す。
【００６８】
ステップＳ８１３において必要情報の入力を終了させると、制御回路２５は、登録機能２５４を実行し、入力された必要情報を登録する指示をＲＩＳサーバ１０へ出力する（ステップＳ８１５）。
【００６９】
ＲＩＳサーバ１０は、ＲＩＳ端末２０から登録指示を受けると、ＲＩＳ端末２０で入力された必要情報を予約データベース１２２に登録する（ステップＳ８１６）。
【００７０】
なお、依頼された検査に医療従事者を割り当てる際のＲＩＳサーバ１０と、ＲＩＳ端末２０との動作は、図８に限定されない。例えば、ＲＩＳサーバ１０、及びＲＩＳ端末２０は、選択可能な候補者を操作者に提示するようにしても構わない。図１１は、依頼された検査について選択可能な候補者を操作者に提示する際の、ＲＩＳサーバ１０、及びＲＩＳ端末２０の動作を説明する図である。
【００７１】
図１１において、ＲＩＳ端末２０の制御回路２５は、ステップＳ８４で、操作者から必要情報が入力されると、被曝線量算出機能２５１を実行する。被曝線量算出機能２５１が実行されると、制御回路２５は、マスタ１２４〜１２８、患者情報被曝線量補正値、医療従事者に関する情報、及び過去の検査に関する情報を、ＲＩＳサーバ１０に対して要求する（ステップＳ１１１）。
【００７２】
ＲＩＳサーバ１０は、ＲＩＳ端末２０からの要求を受けると、記憶回路１２からマスタ１２４〜１２８を読み出す。また、ＲＩＳサーバ１０は、例えば、患者ＩＤをキーとして記憶回路１２から患者情報被曝線量補正値を読み出す。また、ＲＩＳサーバ１０は、医療従事者データベース１２１から、医療従事者に関する情報を読み出す。また、ＲＩＳサーバ１０は、実績データベース１２３から、過去の検査に関する情報を読み出す。ＲＩＳサーバ１０は、読み出したマスタ１２４〜１２８の情報、患者情報被曝線量補正値、医療従事者に関する情報、及び過去の検査に関する情報を、ＲＩＳ端末２０へ出力する（ステップＳ１１２）。
【００７３】
ＲＩＳ端末２０の制御回路２５は、マスタ１２４〜１２８の情報、患者情報被曝線量補正値、医療従事者に関する情報、及び過去の検査に関する情報を受信すると、依頼された検査により職業被曝する放射線量を、登録される全ての医療従事者について算出する（ステップＳ１１３）。なお、具体的な算出方法は、図８で説明した方法と同様である。
【００７４】
「検査による職業被曝の放射線量」を算出すると、制御回路２５は、線量測定器により放射線が測定された直近の期間が明けてから当該検査の前までに、各医療従事者が携わった過去の検査による職業被曝の放射線量を算出する（ステップＳ１１４）。なお、具体的な算出方法は、図８で説明した方法と同様である。
【００７５】
「検査による職業被曝の放射線量」と、「過去の検査による職業被曝の放射線量」とが算出されると、制御回路２５は、被曝線量予測機能２５２を実行する。被曝線量予測機能２５２が実行されると、制御回路２５は、医療従事者に関する情報に含まれる、実測された被曝線量に、「検査による職業被曝の放射線量」と、「過去の検査による職業被曝の放射線量」とを足し合わせ、累積加算の開始日から、現検査までの累積被曝線量を算出する。制御回路２５は、算出した累積被曝線量を、開始日からの日数で割り、一日当たりの平均被曝線量を算出する。そして、制御回路２５は、開始日から予め設定された期間の累積被曝線量を、平均被曝線量に基づいて算出する（ステップＳ１１５）。
【００７６】
開始日から予め設定された期間の累積被曝線量が算出されると、制御回路２５は、判定機能２５３を実行する。判定機能２５３が実行されると、制御回路２５は、各医療従事者について算出された累積被曝線量が、法律で定められる線量限度以上となるか否かを判断する。制御回路２５は、算出された累積被曝線量が線量限度未満となる医療従事者を選択候補者に設定する（ステップＳ１１６）。
【００７７】
制御回路２５は、選択候補者を、操作者が選択可能な画面を表示回路２２に表示させる（ステップＳ１１７）。このとき、制御回路２５は、累積被曝線量が少ない医療従事者を優先的に表示するようにしてもよい。優先的な表示には、例えば、累積被曝線量が少ない医療従事者を視認可能な字体で表示すること、及び累積被曝線量が少ない医療従事者から順に表示すること等がある。図１２は、表示回路２２に表示される選択候補者の表示例を示す模式図である。図１２では、医療従事者の氏名と共に、職種を表示する場合を例に示している。
【００７８】
操作者は、表示回路２２に表示される画面を参照し、入力インタフェース回路２１を介して必要情報を入力する（ステップＳ１１８）。
【００７９】
制御回路２５は、操作者による必要情報の入力が完了すると、必要情報の入力を終了させる（ステップＳ１１９）。必要情報の入力を終了させると、制御回路２５は、登録機能２５４を実行し、入力された必要情報を登録する指示をＲＩＳサーバ１０へ出力する（ステップＳ１１１０）。
【００８０】
ＲＩＳサーバ１０は、ＲＩＳ端末２０から登録指示を受けると、ＲＩＳ端末２０で入力された必要情報を予約データベース１２２に登録する（ステップＳ１１１１）。
【００８１】
なお、図８では、選択した医療従事者の累積被曝線量が線量限度以上となる場合、選択した医療従事者に対して警告表示を発する例を説明し、図１１では、累積被曝線量が線量限度未満となる医療従事者を選択候補者として設定する例を説明した。しかしながら、これに限定されない。制御回路２５の判定機能２５３は、累積被曝線量が線量限度以上となる医療従事者に対して警告表示を発した後、又は警告表示を発すると共に、累積被曝線量が線量限度未満となる医療従事者を選択候補者として設定して表示するようにしても構わない。
【００８２】
また、図８、及び図１１では、ステップＳ８９、及びステップＳ１１５において、開始日から予め設定された期間後の累積被曝線量を算出する例を説明した。しかしながら、これに限定されない。ＲＩＳ端末２０の制御回路２５は、被曝線量予測機能２５２を実行し、一日当たりの最大被曝線量を算出してもよい。
【００８３】
具体的には、制御回路２５は、医療従事者に関する情報に含まれる、実測された被曝線量に、「検査による職業被曝の放射線量」と、「過去の検査による職業被曝の放射線量」とを足し合わせ、累積加算の開始日から、現検査までの累積被曝線量を算出する。制御回路２５は、医療従事者の線量限度から、算出した累積被曝線量を減算し、開始日から予め設定された期間までに被曝可能な可能被曝線量を算出する。
【００８４】
そして、制御回路２５は、一日当たりの最大被曝量を、可能被曝線量に基づいて算出する。予め設定された期間経過後の日付をＹＢ年ＭＢ月ＤＢ日とし、現在の日付をＹＣ年ＭＣ月ＤＣ日とすると、現在の一日当たりの最大被曝線量は、以下の式を用いて算出される。
【００８５】
「現在の一日当たりの最大被曝線量」＝「可能被曝線量」／（ＹＢ年ＭＢ月ＤＢ日−ＹＣ年ＭＣ月ＤＣ日）
「現在の一日当たりの最大被曝線量」が算出されると、制御回路２５は、判定機能２５３を実行する。判定機能２５３が実行されると、制御回路２５は、ステップＳ８１０において、過去の検査に関する情報を参照し、依頼日当日において、選択された医療従事者の一日分の被曝線量が、算出した「現在の一日当たりの最大被曝線量」以上となるか否かを判断する。
【００８６】
また、制御回路２５は、ステップＳ１１６において、過去の検査に関する情報を参照し、依頼日当日において、一日分の被曝線量が、算出した「現在の一日当たりの最大被曝線量」未満である医療従事者を選択候補者に設定する。
【００８７】
なお、制御回路２５の判定機能２５３は、一日分の被曝線量が最大被曝線量以上となる医療従事者に対して警告表示を発した後、又は警告表示を発すると共に、一日分の被曝線量が最大被曝線量未満となる医療従事者を選択候補者として設定して表示するようにしても構わない。
【００８８】
以上のように、本実施形態において、ＲＩＳサーバ１０と、ＲＩＳ端末２０とからなる被曝リスク管理支援装置は、依頼される検査に関する検査オーダ情報に基づき、検査により医療従事者が職業被曝する放射線量を算出するようにしている。これにより、放射線診療の検査予約時に、検査により医療従事者が職業被曝する放射線量が算出されることになる。
【００８９】
したがって、本実施形態に係る被曝リスク管理支援装置によれば、放射線診療の検査予約時に医療従事者の現状の被曝線量を把握することができる。
【００９０】
また、本実施形態では、被曝リスク管理支援装置は、検査に係る設定情報に基づいて取得される被曝量に、検査で用いられる手技、及び／又は薬剤に関する補正、患者の状態に関する補正、若しくは患者への特殊な処置に関する補正をかけることで、依頼された検査により医療従事者が職業被曝する放射線量を算出するようにしている。これにより、算出する放射線量の精度が向上することになる。
【００９１】
また、本実施形態では、被曝リスク管理支援装置は、検査に係る設定情報に基づいて取得される被曝量に、線量測定器により過去に実測された放射線量に応じた補正をかけることで、依頼された検査により医療従事者が職業被曝する放射線量を算出するようにしている。これにより、算出する放射線量の精度が向上することになる。
【００９２】
また、本実施形態では、被曝リスク管理支援装置は、検査に係る設定情報に基づいて取得される被曝量に、検査の際に医療従事者が位置していた場所に応じた補正をかけることで、実施した検査により医療従事者が職業被曝した放射線量を算出するようにしている。これにより、算出する放射線量の精度が向上することになる。
【００９３】
また、本実施形態では、被曝リスク管理支援装置は、算出した検査毎の職業被曝線量に基づき、医療従事者が所定期間において被曝する放射線量の累積値、すなわち、累積被曝線量を算出する。そして、被曝リスク管理支援装置は、算出した累積被曝線量が線量限度以上となる場合、その医療従事者が検査に従事することに対して警告を発するようにしている。これにより、放射線診療の検査予約時に、被曝線量の多い医療従事者を検査に従事させることを避けることが可能となる。また、医療施設に勤務する医療従事者が検査を実施することにより職業被曝する放射線量を、平坦化することが可能となる。
【００９４】
また、本実施形態では、被曝リスク管理支援装置は、算出した検査毎の職業被曝線量に基づき、医療従事者が一日に被曝可能な最大被曝量を算出する。そして、被曝リスク管理支援装置は、従事する検査により被曝する線量、及び従事する予定の検査により被曝する線量の一日分の累積が、算出した最大被曝量以上となる場合、その医療従事者が検査に従事することに対して警告を発するようにしている。これにより、放射線診療の検査予約時に、被曝線量の多い医療従事者を検査に従事させることを避けることが可能となる。また、医療施設に勤務する医療従事者が検査を実施することにより職業被曝する放射線量を、平坦化することが可能となる。
【００９５】
また、本実施形態では、被曝リスク管理支援装置は、累積被曝線量、又は一日に被曝可能な最大被曝量を算出する際に、線量測定器により実測された放射線量を利用するようにしている。これにより、算出する累積被曝線量、又は一日に被曝可能な最大被曝量の精度が向上することになる。
【００９６】
また、本実施形態では、被曝リスク管理支援装置は、累積被曝線量、又は一日に被曝可能な最大被曝量に基づき、検査に従事することが可能な候補者を設定する。そして、被曝リスク管理支援装置は、設定した候補者を表示回路２２に表示するようにしている。これにより、操作者は、被曝線量の低い者のうちから、検査に従事可能な者を選択することが可能となる。
【００９７】
なお、上記実施形態では、医療従事者データベース１２１では、医療従事者ＩＤに、当該医療従事者の氏名、性別、生年月日、年齢、職種、所属科、及び線量測定器により実測された被曝線量等が関連付けられる場合を例に説明した。しかしながら、これに限定されない。医療従事者データベース１２１では、医療従事者ＩＤに、これらの情報に加え、現在被曝線量等が関連付けられても構わない。本実施形態において、現在被曝線量は、累積加算の開始日から直近の報告までの間に実測された放射線量の和と、直近の報告から検査依頼前までにＲＩＳ端末２０によって算出される放射線量との和により算出されるものとする。図１３は、医療従事者データベース１２１に現在被曝線量が含まれている場合の、ＲＩＳサーバ１０と、ＲＩＳ端末２０との動作の例を説明する図である。
【００９８】
図１３において、ＲＩＳ端末２０の制御回路２５は、操作者により必要情報が入力されることで、医療従事者が選択されると、被曝線量算出機能２５１を実行する。被曝線量算出機能２５１が実行されると、制御回路２５は、マスタ１２４〜１２８、患者情報被曝線量補正値、及び選択された医療従事者に関する情報をＲＩＳサーバ１０に対して要求する（ステップＳ１３１）。
【００９９】
ＲＩＳ端末２０の制御回路２５は、マスタ１２４〜１２８の情報、患者情報被曝線量補正値、及び選択された医療従事者に関する情報をＲＩＳサーバ１０から受信すると（ステップＳ１３２）、依頼された検査により職業被曝する放射線量を算出する（ステップＳ１３３）。
【０１００】
「検査による職業被曝の放射線量」を算出すると、制御回路２５は、被曝線量予測機能２５２を実行する。被曝線量予測機能２５２が実行されると、制御回路２５は、医療従事者に関する情報に含まれる現在被曝線量に、「検査による職業被曝の放射線量」を足し合わせ、累積加算の開始日から、現検査までの累積被曝線量を算出する。制御回路２５は、算出した累積被曝線量を、開始日からの日数で割り、一日当たりの平均被曝線量を算出する。制御回路２５は、開始日から予め設定された期間の累積被曝線量を、平均被曝線量に基づいて算出する（ステップＳ１３４）。
【０１０１】
開始日から予め設定された期間の累積被曝線量が算出されると、制御回路２５は、判定機能２５３を実行する。判定機能２５３が実行されると、制御回路２５は、算出した累積被曝線量が、法律で定められる線量限度以上となるか否かを判断する（ステップＳ１３５）。
【０１０２】
また、ＲＩＳサーバ１０、及びＲＩＳ端末２０は、選択可能な候補者を操作者に提示するようにしても構わない。図１４は、依頼された検査について選択可能な候補者を操作者に提示する際の、ＲＩＳサーバ１０、及びＲＩＳ端末２０の動作を説明する図である。
【０１０３】
図１４において、ＲＩＳ端末２０の制御回路２５は、操作者により必要情報が入力されると、被曝線量算出機能２５１を実行する。被曝線量算出機能２５１が実行されると、制御回路２５は、マスタ１２４〜１２８、患者情報被曝線量補正値、及び医療従事者に関する情報をＲＩＳサーバ１０に対して要求する（ステップＳ１４１）。
【０１０４】
ＲＩＳ端末２０の制御回路２５は、マスタ１２４〜１２８の情報、患者情報被曝線量補正値、及び医療従事者に関する情報をＲＩＳサーバ１０から受信すると（ステップＳ１４２）、依頼された検査により職業被曝する放射線量を、登録される全ての医療従事者について算出する（ステップＳ１４３）。
【０１０５】
「検査による職業被曝の放射線量」を算出すると、制御回路２５は、被曝線量予測機能２５２を実行する。被曝線量予測機能２５２が実行されると、制御回路２５は、医療従事者に関する情報に含まれる現在被曝線量に、「検査による職業被曝の放射線量」を足し合わせ、累積加算の開始日から、現検査までの累積被曝線量を算出する。制御回路２５は、算出した累積被曝線量を、開始日からの日数で割り、一日当たりの平均被曝線量を算出する。制御回路２５は、開始日から予め設定された期間の累積被曝線量を、平均被曝線量に基づいて算出する（ステップＳ１４４）。開始日から予め設定された期間の累積被曝線量が算出されると、制御回路２５は、判定機能２５３を実行する。判定機能２５３が実行されると、制御回路２５は、開始日から所定期間の累積被曝線量が線量限度未満となる医療従事者を選択候補者に設定する（ステップＳ１４５）。
【０１０６】
そして、制御回路２５は、選択候補者を、操作者が選択可能な画面を表示回路２２に表示させる（ステップＳ１４６）。
【０１０７】
医療従事者データベース１２１に記憶される現在被曝線量は、検査終了時に入力される距離情報を利用して、例えば、検査が終了する毎に更新される。図１５は、医療従事者データベース１２１に記憶される現在被曝線量を更新する際のＲＩＳサーバ１０と、ＲＩＳ端末２０との動作の例を説明する図である。
【０１０８】
図１５において、まず、ＲＩＳサーバ１０は、検査が終了した医用画像診断装置から、検査実施情報を受信する（ステップＳ１５１）。ＲＩＳサーバ１０は、受信した検査実施情報をＲＩＳ端末２０へ出力する（ステップＳ１５２）。
【０１０９】
ＲＩＳ端末２０は、受信した検査実施情報に基づき、操作者が検査実績に関する必要情報を入力可能な画面を表示回路２２に表示する（ステップＳ１５３）。操作者は、表示回路２２に表示される画面を参照し、入力インタフェース回路２１を介し、検査中に医療従事者が位置した場所に応じた情報を、距離情報として入力する（ステップＳ１５４）。
【０１１０】
ＲＩＳ端末２０の制御回路２５は、操作者により距離情報が入力されると、被曝線量算出機能２５１を実行する。被曝線量算出機能２５１が実行されると、制御回路２５は、マスタ１２４〜１２８、患者情報被曝線量補正値、検査を実施した医療従事者に関する情報、及び実施した検査に関する情報を、ＲＩＳサーバ１０に対して要求する（ステップＳ１５５）。
【０１１１】
ＲＩＳサーバ１０は、ＲＩＳ端末２０からの要求を受けると、記憶回路１２からマスタ１２４〜１２８を読み出す。また、ＲＩＳサーバ１０は、例えば、患者ＩＤをキーとして記憶回路１２から患者情報被曝線量補正値を読み出す。また、ＲＩＳサーバ１０は、医療従事者ＩＤをキーとして医療従事者データベース１２１から、検査を実施した医療従事者に関する情報を読み出す。また、ＲＩＳサーバ１０は、オーダ番号をキーとして実績データベース１２３から、実施した検査に関する情報を読み出す。ＲＩＳサーバ１０は、読み出したマスタ１２４〜１２８の情報、患者情報被曝線量補正値、検査を実施した医療従事者に関する情報、及び実施した検査に関する情報を、ＲＩＳ端末２０へ出力する（ステップＳ１５６）。
【０１１２】
ＲＩＳ端末２０の制御回路２５は、マスタ１２４〜１２８の情報、患者情報被曝線量補正値、検査を実施した医療従事者に関する情報、及び実施した検査に関する情報を受信すると、実施した検査により職業被曝する放射線量を算出する（ステップＳ１５７）。
【０１１３】
具体的には、制御回路２５は、実施した検査に関する情報に含まれる、検査に係る設定情報をキーとして、検査被曝線量マスタ１２４から「一秒間に職業被曝した放射線量」を読み出す。
【０１１４】
「一秒間に職業被曝した放射線量」が検査被曝線量マスタ１２４から読み出されると、制御回路２５は、実施した検査に関する情報に含まれる手技、及び薬剤等をキーとして、検査被曝線量補正値マスタ１２５から「検査被曝線量補正値」を読み出す。また、「一秒間に職業被曝した放射線量」が検査被曝線量マスタ１２４から読み出されると、制御回路２５は、実施した検査に関する情報に含まれる患者の状態をキーとして、患者状態被曝線量補正値マスタ１２６から「患者状態被曝線量補正値」を読み出す。制御回路２５は、「検査被曝線量補正値」、「患者状態被曝線量補正値」、及び「患者情報被曝線量補正値」から、最大の補正値を採用する。
【０１１５】
検査を実施した医療従事者は、ステップＳ１５４で入力される距離情報をキーとして、距離補正値マスタ１２７から「距離補正値」を読み出す。
【０１１６】
また、制御回路２５は、医療従事者に関する情報に含まれる放射線量の実測値に基づき、直近ｎヶ月の平均被曝放射線量を算出する。制御回路２５は、平均被曝線量をキーとして、医療従事者補正値マスタ１２８から「医療従事者補正値」を読み出す。
【０１１７】
制御回路２５は、以下の式を用い、検査被曝線量マスタ１２４から読み出した、「一秒間に職業被曝した放射線量」を補正する。
【０１１８】
「補正した一秒間に職業被曝する放射線量」＝「一秒間に職業被曝した放射線量」×「最大の補正値」×「距離補正値」×「医療従事者補正値」
制御回路２５は、検査の開始時刻と終了時刻とから検査時間を算出する。制御回路２５は、以下の式を用い、補正した放射線量に、検査時間を乗算することで、実施した検査において医療従事者が職業被曝した放射線量を算出する。
【０１１９】
「実施した検査による職業被曝の放射線量」＝「補正した一秒間に職業被曝した放射線量」×「検査時間」
制御回路２５は、「実施した検査による職業被曝の放射線量」を算出すると、医療従事者に関する情報に含まれる累積被曝線量に、算出した「実施した検査による職業被曝の放射線量」を加算し、実施した検査による被曝線量を含んだ累積被曝線量を算出する（ステップＳ１５８）。累積被曝線量を算出すると、制御回路２５は、登録機能２５４を実行し、算出した累積被曝線量を登録する指示をＲＩＳサーバ１０へ出力する（ステップＳ１５９）。
【０１２０】
ＲＩＳサーバ１０は、ＲＩＳ端末２０から登録指示を受けると、ＲＩＳ端末２０で算出された累積被曝線量を医療従事者データベース１２１に登録する（ステップＳ１５１０）。
【０１２１】
上記説明において用いた「プロセッサ」という文言は、例えば、ＣＰＵ（central processing unit）、ＧＰＵ(Graphics Processing Unit)、或いは、特定用途向け集積回路（Application Specific Integrated Circuit：ＡＳＩＣ））、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。プロセッサは記憶回路に保存されたプログラムを読み出し実行することで機能を実現する。なお、本実施形態の各プロセッサは、プロセッサ毎に単一の回路として構成される場合に限らず、複数の独立した回路を組み合わせて１つのプロセッサとして構成し、その機能を実現するようにしてもよい。さらに、図２における複数の構成要素を１つのプロセッサへ統合してその機能を実現するようにしてもよい。
【０１２２】
本発明の実施形態を説明したが、これらの実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【０１２３】
１０…ＲＩＳサーバ、１１…通信インタフェース回路、１２…記憶回路、１２１…医療従事者データベース、１２２…予約データベース、１２３…実績データベース、１２４…検査被曝線量マスタ、１２５…検査被曝線量補正値マスタ、１２６…患者状態被曝線量補正値マスタ、１２７…距離補正値マスタ、１２８…医療従事者補正値マスタ、１３…制御回路、２０…ＲＩＳ端末、２１…入力インタフェース回路、２２…表示回路、２３…通信インタフェース回路、２４…記憶回路、２５…制御回路、２５１…被曝線量算出機能、２５２…被曝線量予測機能、２５３…判定機能、２５４…登録機能。
【図１】
2018050891.tif 000003
【図２】
2018050891.tif 000004
【図３】
2018050891.tif 000005
【図４】
2018050891.tif 000006
【図５】
2018050891.tif 000007
【図６】
2018050891.tif 000008
【図７】
2018050891.tif 000009
【図８】
2018050891.tif 000010
【図９】
2018050891.tif 000011
【図１０】
2018050891.tif 000012
【図１１】
2018050891.tif 000013
【図１２】
2018050891.tif 000014
【図１３】
2018050891.tif 000015
【図１４】
2018050891.tif 000016
【図１５】
2018050891.tif 000017